(57)【要約】【課題】電気機器の保守作業及び修理作業時においても、記憶部に記憶されている機器情報を保守作業及び修理作業が終了した電気機器に移行できる電気機器を提供することを目的とする。【解決手段】機器を構成する電気部品のうち少なくとも一つを制御する制御部を有する制御部基板と、制御部に接続され機器情報を記憶する記憶部を有する記憶部基板と、制御部に接続され報知を行う報知部と、を備えた電気機器であって、制御部は、機器情報を記憶部に記憶させると共に機器情報が基準の条件を満たした時に報知部を介して保守点検の時期を報知し、制御部基板と記憶部基板とは、分割部を介して接続されており、かつ分割部で分離可能である構成とする。【選択図】図４
2017144103.tif 000002
【特許請求の範囲】
【請求項１】
機器を構成する電気部品のうち少なくとも一つを制御する制御部を有する制御部基板と、
前記制御部に接続され機器情報を記憶する記憶部を有する記憶部基板と、
前記制御部に接続され報知を行う報知部と、を備えた電気機器であって、
前記制御部は、前記機器情報を前記記憶部に記憶させると共に前記機器情報が基準の条件を満たした時に前記報知部を介して保守点検の時期を報知し、
前記制御部基板と前記記憶部基板とは、分割部を介して接続されており、かつ前記分割部で分離可能である
電気機器。
【請求項２】
前記制御部基板は、制御部側コネクタを更に有し、
前記記憶部基板は、前記制御部側コネクタと接続可能な記憶部側コネクタを更に有し、
前記制御部基板と前記記憶部基板とが前記分割部を介して接続されている状態では、
前記記憶部は、プリント配線を介して前記制御部と接続され、
前記制御部側コネクタと前記記憶部側コネクタとは接続されていない
請求項１に記載の電気機器。
【請求項３】
前記制御部基板は、第１の接続部を更に有し、
前記記憶部基板は、第２の接続部を更に有し、
前記第１の接続部と前記第２の接続部とは、電気配線により接続されている
請求項１に記載の電気機器。
【請求項４】
前記分割部は、
ミシン目形状により形成されている
請求項１〜３の何れか１項に記載の電気機器。
【請求項５】
前記分割部は、
Ｖ字状の溝により形成されている
請求項１〜３の何れか１項に記載の電気機器。
【請求項６】
前記プリント配線は、前記分割部のミシン目形状のミシン目の間に配設されている
請求項２に従属する請求項４に記載の電気機器。
【請求項７】
前記Ｖ字状の溝は、前記分割部の一方の面にのみ形成され、
前記プリント配線は、前記分割部の前記Ｖ字状の溝が形成されていない他方の面に配設されている
請求項２に従属する請求項５に記載の電気機器。
【請求項８】
前記機器情報は、
前記電気機器の積算通電時間、積算運転回数、又は積算運転時間である
請求項１〜７の何れか１項に記載の電気機器。
【請求項９】
前記電気機器は、食器洗浄機である
請求項１〜８の何れか１項に記載の電気機器。
【請求項１０】
電気部品の制御を行う制御部を有する制御部基板と、
前記制御部に接続され情報を記憶する記憶部を有する記憶部基板と、
を備え、
前記制御部基板と前記記憶部基板とは、分割部を介して接続されており、かつ前記分割部で分離可能である
電子回路基板。
【請求項１１】
機器を構成する電気部品のうち少なくとも一つを制御する制御部を有する制御部基板と、
前記制御部に接続され機器情報を記憶する記憶部と記憶部側コネクタを有する記憶部基板とを備え、前記制御部基板と前記記憶部基板とは分割部を介して接続されている電子回路基板の交換方法であって、
前記制御部基板と前記記憶部基板を前記分割部で分離する工程と、
分離した前記記憶部基板の記憶部側コネクタを新たな制御部を有する新たな制御部基板に備えられた制御部側コネクタに接続し、分離した前記記憶部基板の記憶部と、前記新たな制御部基板が有する前記新たな制御部とを接続する工程と、を有する電子回路基板の交換方法。
【発明の詳細な説明】
【技術分野】
【０００１】
本発明は、食器洗浄機及び洗濯機などの保守作業を支援する制御部及び記憶部を備えた電気機器、その電気機器が備える電子回路基板、及び電子回路基板の交換方法に関するものである。
【背景技術】
【０００２】
食器洗浄機などの消費生活用製品安全法で点検の制度が設けられている電気機器では、電気機器を安全に使うための目安となる設計標準使用期間が設定されている。そして、この設定標準使用期間を経過したか否かについては、電気機器の待機時間及び運転時間などの設置してからの経過時間をＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の記憶部に記憶して管理を行っている（例えば特許文献１参照）。
【先行技術文献】
【特許文献】
【０００３】
【特許文献１】特許第５６５６５２３号公報
【発明の概要】
【発明が解決しようとする課題】
【０００４】
特許文献１に記載の電気機器においては、電気機器の保守作業時に制御部を搭載した基板を交換したい場合には、基板に搭載されているＥＥＰＲＯＭ等の記憶部を一緒に交換することになる。このため、電気機器の保守作業後において、記憶部に記憶されている情報が作業終了後の電気機器に移行できないという問題点があった。
【０００５】
本発明は、上記のような問題点を解決するためになされたものであり、電気機器の保守作業時においても、記憶部に記憶されている機器情報を保守作業が終了した電気機器に移行できる電気機器を提供することを目的としている。
【課題を解決するための手段】
【０００６】
本発明に係る電気機器は、機器を構成する電気部品のうち少なくとも一つを制御する制御部を有する制御部基板と、前記制御部に接続され機器情報を記憶する記憶部を有する記憶部基板と、前記制御部に接続され報知を行う報知部と、を備えた電気機器であって、前記制御部は、前記機器情報を前記記憶部に記憶させると共に前記機器情報が基準の条件を満たした時に前記報知部を介して保守点検の時期を報知し、前記制御部基板と前記記憶部基板とは、分割部を介して接続されており、かつ前記分割部で分離可能である。
【発明の効果】
【０００７】
本発明に係る電気機器によれば、制御部を有する制御部基板と、制御部に接続され機器情報を記憶する記憶部を有する記憶部基板とは、分割部を介して接続されており、かつ分割部を介して分離可能である。このため、電気機器の保守作業時においても、記憶部に記憶されている機器情報を保守作業が終了した電気機器に移行できる電気機器を提供することができる。
【図面の簡単な説明】
【０００８】
【図１】本発明の実施の形態１に係る電気機器の概略断面図である。
【図２】本発明の実施の形態１に係る電気機器の概略正面図である。
【図３】本発明の実施の形態１に係る電気機器の制御部に係るブロック図である。
【図４】本発明の実施の形態１に係る電気機器に搭載されている基板の概略斜視図である。
【図５】本発明の実施の形態１に係る電気機器に搭載されている基板の分割部を平面視した概略拡大図である。
【図６】本発明の実施の形態１に係る電気機器に搭載されている基板の分割部を断面視した概略拡大図である。
【図７Ａ】本発明の実施の形態２に係る電気機器に搭載されている基板の概略斜視図である。
【図７Ｂ】本発明の実施の形態２に係る電気機器に搭載されている基板の底面図である。
【図７Ｃ】本発明の実施の形態２に係る電気機器に搭載されている基板が分割された際の概略斜視図である。
【図８】本発明の実施の形態３に係る電気機器に搭載されている基板の概略斜視図である。
【図９Ａ】本発明の実施の形態４に係る電気機器に搭載されている基板の概略斜視図である。
【図９Ｂ】本発明の実施の形態４に係る電気機器に搭載されている基板の分割部を平面視した概略拡大図である。
【図１０Ａ】本発明の実施の形態５に係る電気機器に搭載されている基板の概略斜視図である。
【図１０Ｂ】本発明の実施の形態５に係る電気機器に搭載されている基板の分割部を断面視した概略拡大図である。
【発明を実施するための形態】
【０００９】
以下、本発明の電気機器の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。また、本発明における電気機器の例として、食器洗浄機を用いて実施の形態を説明するが、本発明は、食器洗浄機に限定されるものではなく、その他の電気機器にも適用することが可能である。
【００１０】
実施の形態１．
［食器洗浄機の構成］
図１は、本発明の実施の形態１に係る電気機器の概略断面図である。また、図２は、本発明の実施の形態１に係る電気機器の概略正面図である。図１及び図２に示されるように、食器洗浄機１は、前面に前面開口部１ａを有する箱状に形成された食器洗浄機本体１ｂと、食器洗浄機本体１ｂの内部に収納され、上方に食器収納口２ａを有する箱状に形成された洗浄槽２と、引き出し式の扉１３を備えている。
【００１１】
また、食器洗浄機１の内部には、食器洗浄機本体１ｂに対し、洗浄槽２を前後方向にスライド移動可能に支持するスライド手段であるガイド（図示省略）とレール５と、食器洗浄機本体１ｂ内に収納された洗浄槽２が設けられている。さらに、食器洗浄機１の内部には、扉１３の開閉状態を検出するドア開閉検知装置２６と、食器３などの被洗浄物を載置する食器かご４とが設けられている。加えて、食器洗浄機１の内部には、噴射される洗浄水及び乾燥風が、洗浄槽２の外部に流出するのを防止するために、洗浄槽２の食器収納口２ａを閉塞するための内蓋１２が設けられている。
【００１２】
また、食器洗浄機１の内部には、洗浄水となる水道水を洗浄槽２の内部に供給するための給水手段である給水管１０ａ及び給水弁１０と、食器３の汚れを洗い落とすために洗浄水を噴射及び循環させるための洗浄手段である洗浄ノズル９及び洗浄ポンプ８とが設けられている。また、食器洗浄機１の内部には、洗浄能力を向上させるために循環する洗浄水を加熱するヒーター７と、洗浄に使用された洗浄水を食器洗浄機１の外部に排水する排水ポンプ１１及び配水管１１ａとが設けられている。
【００１３】
また、食器洗浄機１の内部には、食器３を乾燥させるための乾燥風を発生させる送風ファン３６と、操作部１５からの信号に従い、各種電気部品を制御するための制御部２１と、記憶部２３とが設けられている。
【００１４】
図１及び図２に示されるように、送風ファン３６は、食器洗浄機本体１ｂの後方側で洗浄槽２の外側に設けられ、食器３を乾燥させるための空気を送風させるようになっており、乾燥による排気は扉１３に形成されている排気口５１を経て外部に放出される。
【００１５】
次に、食器洗浄機本体１ｂの前方側上部には、洗浄槽２が収納されている状態を検出するためのドア開閉検知装置２６が設けられている。また、食器洗浄機本体１ｂの前方側下部には、洗浄槽２の内部の洗浄水の位置を検出するための水量検出装置２７が設けられている。さらに、食器洗浄機本体１ｂの下部には、洗浄水の温度を検出する温度検出装置３１が設けられている。
【００１６】
図２に示されるように、扉１３は、操作パネル１４を備え、操作パネル１４には、排気口５１と、食器洗浄機１を操作するための操作部１５と、食器洗浄機１の運転状態等を表示する表示部３０と、食器洗浄機１の運転状態等を報知する報知装置４１とが設けられている。報知装置４１は、例えばブザーなどが用いられる。操作部１５には、食器洗浄機１への電源のＯＮ又はＯＦＦにするための電源スイッチ１８と、食器洗浄機１の運転をスタート又は一時停止させるための運転スイッチ１７と、扉１３を開閉させるための扉開閉スイッチ２０とが設けられている。
【００１７】
図３は、本発明の実施の形態１に係る電気機器の制御部に係るブロック図である。図３に示されるように、制御部２１はマイクロコンピュータ２２を備える。制御部２１は、ユーザーから操作部１５を介して食器洗浄機１への操作指示を受け付けたり、ドア開閉検知装置２６等の装置から各種電気信号を受信する。そして、制御部２１は、ユーザーからの操作指示又は各種装置等からの電気信号に応じて、マイクロコンピュータ２２を介して食器洗浄機１の動作を制御する。すなわち、制御部２１は、機器を構成する電気部品のうち少なくとも一つを制御するものである。
【００１８】
ヒーター駆動回路２８は、マイクロコンピュータ２２からの制御指令を受けてヒーター７の温度を制御する。給水弁駆動回路３２は、マイクロコンピュータ２２からの制御指令を受けて給水弁１０の開閉等の動作を制御する。洗浄ポンプ駆動回路３３は、マイクロコンピュータ２２からの制御指令を受けて洗浄ポンプ８の動作を制御する。排水ポンプ駆動回路３４は、マイクロコンピュータ２２からの制御指令を受けて排水ポンプ１１の動作を制御する。送風ファン駆動回路３５は、マイクロコンピュータ２２からの制御指令を受けて送風ファン３６の回転数を制御する。表示部駆動回路２９は、マイクロコンピュータ２２からの制御指令を受けて表示部３０に表示される表示画を制御する。
【００１９】
制御部２１は、後述する電気配線４３又はプリント配線４２等により記憶部２３に接続されており、記憶部２３に食器洗浄機１の積算通電時間、積算運転回数、又は積算運転時間などの機器情報を記憶させる。また、制御部２１は、例えば、食器洗浄機１の積算運転時間が一定の積算時間を超えた場合には、報知装置４１又は表示部３０により保守点検を行う設計標準使用期間が経過したことを報知する。そして、ユーザーは、当該報知があった旨をメーカー等の保守点検業者に連絡することで、適切なタイミングで食器洗浄機１の保守点検、あるいは修理作業等の依頼を行うことができる。
なお、報知装置４１及び表示部３０は、本発明における「報知部」に相当する。
【００２０】
図４は、本発明の実施の形態１に係る電気機器に搭載されている基板の概略斜視図である。図４に示されるように、電子回路基板１００は、制御部基板４０と記憶部基板２４とにより構成され、制御部基板４０と記憶部基板２４とは分割部７０により接続されている。制御部基板４０には、制御部２１とマイクロコンピュータ２２とが配設され、記憶部基板２４には、記憶部２３が配設されている。
つまり、制御部基板４０と記憶部基板２４は、一枚の板で一体に形成されており、両基板は分割部７０の位置で分割することが可能となっている。尚、制御部基板４０と記憶部基板２４をそれぞれ別々の板で基板を構成し、分割部７０となる部分で結合しても良い。
【００２１】
図５は、本発明の実施の形態１に係る電気機器に搭載されている基板の分割部を平面視した概略拡大図である。図５に示されるように、制御部基板４０と記憶部基板２４との間の分割部７０には、複数の貫通孔７１ａとスリット７１ｂとが形成され、これによりミシン目形状７０ａが形成されている。貫通孔７１ａは、例えば直径が１（ｍｍ）の貫通孔である。また、貫通孔７１ａ同士の間、及び貫通孔７１ａとスリット７１ｂとの間、つまり制御部基板４０と記憶部基板２４との繋ぎ目の幅は、例えば２．５（ｍｍ）である。制御部基板４０と記憶部基板２４とを分割する際には、制御部基板４０と記憶部基板２４との繋ぎ目を折ったり、切断することで分割して分離することができる。なお、本実施の形態１において、ミシン目形状７０ａの寸法を上記の通りとしたが、本発明はこれに限定されず、適宜寸法を変更しても良い。
【００２２】
図６は、本発明の実施の形態１に係る電気機器に搭載されている基板の分割部を断面視した概略拡大図である。図６に示されるように、制御部基板４０と記憶部基板２４との間の分割部７０には、Ｖ字状の溝７０ｂが制御部基板４０と記憶部基板２４の表面と裏面の両方に形成されている。制御部基板４０と記憶部基板２４の厚さを例えば１．６（ｍｍ）にした場合、Ｖ字状の溝７０ｂは、例えば深さを０．４±０．１（ｍｍ）とし、角度は４５°とする。制御部基板４０と記憶部基板２４とを分割する際には、制御部基板４０と記憶部基板２４との間のＶ字状の溝７０ｂを折ったり、切断することで分割して分離することができる。なお、本実施の形態１において、制御部基板４０と記憶部基板２４の厚さ及びＶ字状の溝７０ｂの寸法を上記の通りとしたが、本発明はこれに限定されず、適宜寸法を変更しても良い。
【００２３】
［実施の形態１の効果］
以上のことから、本実施の形態１によれば、機器を構成する電気部品のうち少なくとも一つを制御する制御部２１を有する制御部基板４０と、制御部２１に接続され機器情報を記憶する記憶部２３を有する記憶部基板２４と、制御部２１に接続され報知を行う報知部と、を備えた電気機器であって、制御部２１は、機器情報を記憶部２３に記憶させると共に機器情報が基準の条件を満たした時に報知部を介して保守点検の時期を報知し、制御部基板４０と記憶部基板２４とは、分割部を介して接続されており、かつ分割部で分離可能であるものとする。
このようにすることで、電気機器の保守作業時において、制御部２１を交換する場合であっても、記憶部２３が設けられた記憶部基板２４を、交換する制御部２１から切り離し、交換後の新たな制御部２１に接続することで、記憶部２３に記憶されている情報を保守作業が終了した電気機器に移行できる電気機器を提供することができる。
また、電子回路基板１００を製造する際に制御部基板４０に記憶部２３を組み付けて製造する必要がなくなるため、電子回路基板１００の製造時間の削減を図ることができる。
また、記憶部基板２４を制御部基板４０と隣接して配置して記憶部２３が配設された記憶部基板２４を目立たせることによって、保守作業時に記憶部２３の取り外しを忘れることを防止することができる。
【００２４】
また、分割部７０は、ミシン目形状７０ａ、又はＶ字状の溝７０ｂにより形成されている。このようにすることで、分割部７０を折り曲げたり切断することで、容易に記憶部基板２４と制御部基板４０とを分割することができる電気機器を得ることができる。
【００２５】
実施の形態２．
本実施の形態２における電気機器の基本的な構成は実施の形態１における電気機器と同様であるため、以下、実施の形態１との相違点を中心に本実施の形態２を説明する。実施の形態１と本実施の形態２との相違点は、各基板にコネクタが設けられている点である。
【００２６】
図７Ａは、本発明の実施の形態２に係る電気機器に搭載されている基板の概略斜視図である。また、図７Ｂは、本発明の実施の形態２に係る電気機器に搭載されている基板の底面図である。また、図７Ｃは、本発明の実施の形態２に係る電気機器に搭載されている基板が分割された際の概略斜視図である。
【００２７】
図７Ａに示されるように、電子回路基板１０１は、制御部基板４０ａと記憶部基板２４ａとから構成され、制御部基板４０ａは制御部側コネクタ２５ａを備え、記憶部基板２４ａは記憶部側コネクタ２５ｂを備えている。図７Ｂに示されるように、制御部基板４０ａと記憶部基板２４ａとが分割部７０を介して接続されている場合は、制御部２１と記憶部２３とがプリント配線４２により電気的に接続され機器情報が記憶部２３に記憶されている。しかし、図７Ｃに示されるように、制御部基板４０ａと記憶部基板２４ａとが分割部７０において分割された場合、制御部基板４０ａの制御部側コネクタ２５ａと記憶部基板２４ａの記憶部側コネクタ２５ｂとを接続することにより、記憶部２３と制御部２１との間で機器情報の送受信が行える。
【００２８】
次に、電子回路基板１０１の交換方法について説明する。まず、第１の工程として制御部基板４０ａと記憶部基板２４ａとを分割部７０で分割する。次に、第２の工程として分離した記憶部基板２４ａの記憶部側コネクタ２５ｂを、新たな制御部２１を有する新たな制御部基板４０ａに備えられた制御部側コネクタ２５ａに接続し、分離した記憶部基板２４ａの記憶部２３と、新たな制御部基板４０ａが有する新たな制御部２１と接続する。このようにすることで、記憶部２３に記憶されている機器情報を新たな制御部２１に移行することができる。
【００２９】
［実施の形態２の効果］
以上のことから、本実施の形態２によれば、制御部基板４０ａは、制御部側コネクタを更に有し、記憶部基板２４ａは、制御部側コネクタ２５ａと接続可能な記憶部側コネクタ２５ｂを更に有し、制御部基板４０ａと記憶部基板２４ａとが分割部７０を介して接続されている状態では、記憶部２３は、プリント配線を介して制御部２１と接続され、制御部側コネクタ２５ａと記憶部側コネクタ２５ｂとは接続されていない電気機器とする。
このようにすることで、制御部基板４０ａと記憶部基板２４ａとを分割した後においても、記憶部基板２４ａを再度、交換後の新たな制御部基板４０ａに接続することができる電気機器を得ることができる。
【００３０】
実施の形態３．
本実施の形態３における電気機器の基本的な構成は実施の形態１における電気機器と同様であるため、以下、実施の形態１との相違点を中心に本実施の形態３を説明する。実施の形態１と本実施の形態３との相違点は、各基板にコネクタが設けられ、コネクタ同士が電気配線で接続されている点である。
【００３１】
図８は、本発明の実施の形態３に係る電気機器に搭載されている基板の概略斜視図である。図８に示されるように、電子回路基板１０２は、制御部基板４０ｂと記憶部基板２４ｂとから構成され、制御部基板４０ｂはコネクタ２５ｃを備え、記憶部基板２４ｂはコネクタ２５ｄを備えている。コネクタ２５ｃとコネクタ２５ｄとはリード線などの電気配線４３を介して接続されている。そして、制御部２１と記憶部２３とが電気配線４３により電気的に接続され機器情報が記憶部２３に記憶されている。電気配線４３はコネクタ２５ｃから取り外されることができるため、制御部基板４０ｂと記憶部基板２４ｂとが分割部７０を介して分割された場合には、制御部基板４０ｂと記憶部基板２４ｂとを分離することができる。なお、コネクタ２５ｃは、本発明における「第１の接続部」に相当する。また、コネクタ２５ｄは、本発明における「第２の接続部」に相当する。
【００３２】
［実施の形態３の効果］
以上のことから、本実施の形態３によれば、制御部基板４０ｂは、コネクタ２５ｃを更に有し、記憶部基板２４ｂは、コネクタ２５ｄを更に有し、コネクタ２５ｃとコネクタ２５ｄとは、電気配線４３により接続されている。
このようにすることで、各基板にプリント配線４２を配設する必要がなくなり製造工程を簡素化することが可能な電気機器を得ることができる。
【００３３】
実施の形態４．
本実施の形態４における電気機器の基本的な構成は実施の形態１における電気機器と同様であるため、以下、実施の形態１との相違点を中心に本実施の形態４を説明する。実施の形態１と本実施の形態４との相違点は、プリント配線がミシン目状の間に配設されている点である。
【００３４】
図９Ａは、本発明の実施の形態４に係る電気機器に搭載されている基板の概略斜視図である。また、図９Ｂは、本発明の実施の形態４に係る電気機器に搭載されている基板の分割部を平面視した概略拡大図である。図９Ａに示されるように、電子回路基板１０３は、制御部基板４０ｃと記憶部基板２４ｃとから構成され、制御部基板４０ｃと記憶部基板２４ｃとは、分割部７０を介して接続されている。図９Ｂに示されるように、制御部基板４０ｃと記憶部基板２４ｃとの間の分割部７０には、複数の貫通孔７１ａとスリット７１ｂとが形成され、これによりミシン目形状７０ａが形成されている。貫通孔７１ａ同士、又は貫通孔７１ａとスリット７１ｂとの間には、プリント配線４２が配設され、制御部２１と記憶部２３とがプリント配線４２により電気的に接続され機器情報が記憶部２３に記憶される。なお、貫通孔７１ａ及びスリット７１ｂは、本発明における「ミシン目」に相当する。
【００３５】
［実施の形態４の効果］
以上のことから、本実施の形態４によれば、プリント配線４２は、分割部７０のミシン目形状７０ａのミシン目の間に配設されている。
このようにすることで、分割部７０にミシン目形状７０ａを採用した場合にも、制御部２１と記憶部２３とをプリント配線４２で電気的に接続することができる。
【００３６】
実施の形態５．
本実施の形態５における電気機器の基本的な構成は実施の形態１における電気機器と同様であるため、以下、実施の形態１との相違点を中心に本実施の形態５を説明する。実施の形態１と本実施の形態５との相違点は、基板の一方の面の分割部にＶ字状の溝７０ｂを設けている点である。
【００３７】
図１０Ａは、本発明の実施の形態５に係る電気機器に搭載されている基板の概略斜視図である。また、図１０Ｂは、本発明の実施の形態５に係る電気機器に搭載されている基板の分割部を断面視した概略拡大図である。図１０Ａ及び図１０Ｂに示されるように、電子回路基板１０４は、制御部基板４０ｄと記憶部基板２４ｄとから構成され、制御部基板４０ｄと記憶部基板２４ｄとは、分割部７０を介して接続されている。
【００３８】
制御部基板４０ｄと記憶部基板２４ｄとの間の分割部７０には、Ｖ字状の溝７０ｂが制御部基板４０ｄと記憶部基板２４ｄの一方の面のみに形成されている。制御部基板４０ｄと記憶部基板２４ｄの厚さを例えば１．６（ｍｍ）にした場合、Ｖ字状の溝７０ｂは、例えば深さを０．４±０．１（ｍｍ）とし、角度は４５°とする。制御部基板４０ｄと記憶部基板２４ｄとを分割する際には、制御部基板４０ｄと記憶部基板２４ｄとの間のＶ字状の溝７０ｂを折ったり、切断することで分割して分離することができる。なお、本実施の形態５において、制御部基板４０と記憶部基板２４の厚さ及びＶ字状の溝７０ｂの寸法を上記の通りとしたが、本発明はこれに限定されず、適宜寸法を変更しても良い。
【００３９】
制御部基板４０ｄと記憶部基板２４ｄのＶ字状の溝７０ｂが形成されていない他方の面にはプリント配線４２が配設されている。これにより、制御部２１と記憶部２３とがプリント配線４２により電気的に接続され機器情報が記憶部２３に記憶される。
【００４０】
［実施の形態５の効果］
以上のことから、本実施の形態５によれば、Ｖ字状の溝７０ｂは、分割部７０の一方の面にのみ形成され、プリント配線４２は、分割部７０のＶ字状の溝７０ｂが形成されていない他方の面に配設される構成とする。
このようにすることで、分割部７０にＶ字状の溝７０ｂを形成しても、制御部２１と記憶部２３とをプリント配線４２により電気的に接続することができる。
【符号の説明】
【００４１】
１  食器洗浄機、１ａ  前面開口部、１ｂ  食器洗浄機本体、２  洗浄槽、２ａ  食器収納口、３  食器、４  食器かご、５  レール、７  ヒーター、８  洗浄ポンプ、９  洗浄ノズル、１０  給水弁、１０ａ  給水管、１１  排水ポンプ、１１ａ  配水管、１２  内蓋、１３  扉、１４  操作パネル、１５  操作部、１７  運転スイッチ、１８  電源スイッチ、２０  扉開閉スイッチ、２１  制御部、２２  マイクロコンピュータ、２３  記憶部、２４  記憶部基板、２４ａ  記憶部基板、２４ｂ  記憶部基板、２４ｃ  記憶部基板、２４ｄ  記憶部基板、２５ａ  制御部側コネクタ、２５ｂ  記憶部側コネクタ、２５ｃ  コネクタ、２５ｄ  コネクタ、２６  ドア開閉検知装置、２７  水量検出装置、２８  ヒーター駆動回路、２９  表示部駆動回路、３０  表示部、３１  温度検出装置、３２  給水弁駆動回路、３３  洗浄ポンプ駆動回路、３４  排水ポンプ駆動回路、３５  送風ファン駆動回路、３６  送風ファン、４０  制御部基板、４０ａ  制御部基板、４０ｂ  制御部基板、４０ｃ  制御部基板、４０ｄ  制御部基板、４１  報知装置、４２  プリント配線、４３  電気配線、５１  排気口、７０  分割部、７０ａ  ミシン目形状、７０ｂ  Ｖ字状の溝部、７１ａ  貫通孔、７１ｂ  スリット、１００  電子回路基板、１０１  電子回路基板、１０２  電子回路基板、１０３  電子回路基板、１０４  電子回路基板。
【図１】
2017144103.tif 000003
【図２】
2017144103.tif 000004
【図３】
2017144103.tif 000005
【図４】
2017144103.tif 000006
【図５】
2017144103.tif 000007
【図６】
2017144103.tif 000008
【図７Ａ】
2017144103.tif 000009
【図７Ｂ】
2017144103.tif 000010
【図７Ｃ】
2017144103.tif 000011
【図８】
2017144103.tif 000012
【図９Ａ】
2017144103.tif 000013
【図９Ｂ】
2017144103.tif 000014
【図１０Ａ】
2017144103.tif 000015
【図１０Ｂ】
2017144103.tif 000016